(57)【要約】【課題】  奥行の増大を最小にとどめながらリールの前側に利用可能なスペースを確保した遊技機を提供する。【解決手段】  第１リール筐体２７に第１リール２２が収納されて第１リールユニット３２が形成される。第２リール筐体２８に第２リール２３が収納されて第２リールユニット３３が形成される。第３リール筐体２９に第３リール２４が収納されて第３リールユニット３４が形成される。第１、第２、第３リール筐体２７，２８，２９のそれぞれの上部、及び下部に形成された取り付け部を第１固定部材３７、及び第２固定部材３８に取り付ける。第１リール２２と第２リール２３との間隔は前端よりも後端で大きく、第３リール２４と第２リール２３との間隔は前端よりも後端で大きい。【選択図】        図３
2005224374.tif 000002
【特許請求の範囲】
【請求項１】
表示窓から図柄を外部に表示する遊技機において、
外周に図柄が配列された複数のリールが前記表示窓の後側で水平方向に並んでおり、
この水平方向に並んだ複数のリールを平面視して、端に位置するリールに向かうに従って次第に前方に突出するとともに各リールの前端から後端に向う方向がリールの前側に位置する所定ポイントからの放射方向と略平行となるようにそれぞれのリールを配置したことを特徴とする遊技機。
【請求項２】
前記遊技機は弾球遊技機であり、前記水平方向に並んだ複数のリールを平面視して、端に位置するリールに向かうに従って次第に前方に突出するとともに各リールの前端から後端に向う方向がリールの前側に位置する所定ポイントからの放射方向と略平行となるようにそれぞれ配置されたリールのうち、一方の端に位置するリールの前側の先端部から他方の端に位置するリールの前側の先端部に至るラインと、各リールの前端に沿った略弧状のラインと、によって囲まれるスペースに遊技球を一時的に滞在させるステージを設けたことを特徴とする請求項１に記載の遊技機。
【請求項３】
水平方向に並んだ３つのリールを有し、各リールの外周に配列された図柄をリールの前側に設けられた表示窓から外部に表示する遊技機であって、
前記リールは円筒形状に形成されるとともに中央に位置した１つの中央リールと、この中央リールの両脇に位置するとともにテーパー形状に形成され、かつそれぞれ小径側の側縁が前記中央リールの側縁と対向する２つの端部リールとからなることを特徴とする遊技機。
【発明の詳細な説明】
【技術分野】
【０００１】
本発明は、遊技場に設置されるパチンコ機などの遊技機に関するものである。
【背景技術】
【０００２】
現在、パチンコ店等の遊技場に設置して使用されるパチンコ機やスロットマシン等の遊技機の多くには図柄表示装置が設けられており、図柄表示装置が遊技中に作動することで遊技の興趣が高められている。図柄表示装置としては、外周に複数種類の図柄が配列されたリールが実際に回転されるリール駆動タイプのものや、グラフィックデータに基づいて擬似的にリールの回転をＣＲＴや液晶表示装置に表示して図柄の移動する様子を再現するビデオタイプのもの等がある。いずれのタイプにしても、図柄の変動表示後に表示される複数種類の図柄の組み合わせによって遊技者にとって有利か否かを告知している。
【０００３】
リール駆動タイプの図柄表示装置を有する遊技機では、複数のリールが互いに側縁を対向させ、かつ等間隔を隔てて水平方向に一列に並んでおり、各リールの前方に設けられた表示窓を通してリールの外周に形成された図柄が外部に露呈する。中には遊技の興趣をより高めるためにそれぞれのリールで回転速度や回転方向を異ならせたものもある。遊技機の前で遊技を行っている遊技者は表示窓から露呈するリールの外周に形成された図柄を観察し、図柄の組み合わせから遊技が有利な状態にあるのか、あるいは不利な状態にあるのかといったことを観察しながら遊技を行っていた。
【発明の開示】
【発明が解決しようとする課題】
【０００４】
ところで、パチンコ機等の弾球遊技機では、障害釘や各種入賞口等を固定した遊技盤が遊技盤内を視認可能にするガラス板等の透明な板部材によって覆われており、これによって遊技盤と透明な板部材との間には遊技球が流下する遊技領域が形成されている。現在、遊技領域に打ち出された遊技球を一時的に滞在させて遊技の興趣を高めるステージがリールの前に設けられたものが一般的に普及しており、ステージの下方には入賞に応じて電子抽選を行う始動入賞口が設けられ、ステージは始動入賞口に遊技球を導くように形状が加工されている。このため、例えば、ステージに進入した遊技球はステージ上を遥動し、これを見た遊技者はステージの下方に位置した始動入賞口に遊技球が入賞することを期待して遊技を行っていた。
【０００５】
しかしながら、図柄表示装置が有する複数のリールは、互いに側縁を対向させ、かつ等間隔を隔てて水平方向に一列に並んでいるため、リールの前側を利用したい場合、例えば、リールの前側に遊技球を一時的に滞在させるステージを設けたい場合等には、リールの前側にステージの設置が可能なスペースを新たに形成する必要がある。このスペースを形成するため従来は全てのリールを遊技盤の奥へ配置してリールの前にステージを設けるためのスペースを形成しており、このため奥行が増大して遊技機が大型化していた。
【０００６】
本発明は、上記の事情に鑑みてなされたものであり、その目的は、奥行の増大を最小にとどめながらリールの前側に利用可能なスペースを確保した遊技機を提供することにある。
【課題を解決するための手段】
【０００７】
上記目的を達成するために、本発明の遊技機は、表示窓から図柄を外部に表示する遊技機において、外周に図柄が配列された複数のリールが前記表示窓の後側で水平方向に並んでおり、この水平方向に並んだ複数のリールを平面視して、端に位置するリールに向かうに従って次第に前方に突出するとともに各リールの前端から後端に向う方向がリールの前側に位置する所定ポイントからの放射方向と略平行となるようにそれぞれのリールを配置したことを特徴とする。
【０００８】
また、遊技機は弾球遊技機であり、水平方向に並んだ複数のリールを平面視して、端に位置するリールに向かうに従って次第に前方に突出するとともに各リールの前端から後端に向う方向がリールの前側に位置する所定ポイントからの放射方向と略平行となるようにそれぞれ配置されたリールのうち、一方の端に位置するリールの前側の先端部から他方の端に位置するリールの前側の先端部に至るラインと、各リールの前端に沿った略弧状のラインと、によって囲まれるスペースに遊技球を一時的に滞在させるステージを設けたことを特徴とする。
【０００９】
また、水平方向に並んだ３つのリールを有し、各リールの外周に配列された図柄をリールの前側に設けられた表示窓から外部に表示する遊技機であって、リールは円筒形状に形成されるとともに中央に位置した１つの中央リールと、この中央リールの両脇に位置するとともにテーパー形状に形成され、かつそれぞれ小径側の側縁が前記中央リールの側縁と対向する２つの端部リールとからなることを特徴とする。
【発明の効果】
【００１０】
本発明の遊技機によれば、水平方向に並んだ複数のリールを平面視して、端に位置するリールに向かうに従って次第に前方に突出するとともに各リールの前端から後端に向う方向がリールの前側に位置する所定ポイントからの放射方向と略平行となるようにそれぞれのリールを配置したことにより、一方の端に位置するリールの前側の先端部から他方の端に位置するリールの前側の先端部に至るラインと、各リールの前端に沿った略弧状のラインと、によって囲まれるスペースを形成することができ、このスペースを利用することで奥行の増加を最小限にとどめた遊技機を提供することができる。
【００１１】
また、水平方向に並んだ複数のリールを平面視して、端に位置するリールに向かうに従って次第に前方に突出するとともに各リールの前端から後端に向う方向がリールの前側に位置する所定ポイントからの放射方向と略平行となるようにそれぞれ配置されたリールのうち、一方の端に位置するリールの前側の先端部から他方の端に位置するリールの前側の先端部に至るラインと、各リールの前端に沿った略弧状のラインと、によって囲まれるスペースに遊技球を一時的に滞在させるステージを設けたから、ステージを設けるためにリールの前側に新たにスペースを形成する必要はなく、これにより奥行の増大を最小限にとどめながらリールの前側にステージを設けた弾球遊技機を提供することができる。
【００１２】
また、水平方向に並んだ３つのリールを有し、各リールの外周に配列された図柄をリールの前側に設けられた表示窓から外部に表示する遊技機であって、リールは円筒形状に形成されるとともに中央に位置した１つの中央リールと、この中央リールの両脇に位置するとともにテーパー形状に形成され、かつそれぞれ小径側の側縁が前記中央リールの側縁と対向する２つの端部リールとからなることにより、一方の端部リールの大径側の側縁の前端から他方の端部リールの大径側の側縁の前端に至るラインと、それぞれのリールの前端に沿った略弧状のラインとによって囲まれるスペースが形成され、このスペースを利用することで奥行の増加を最小限にとどめた遊技機を提供することができる。
【発明を実施するための最良の形態】
【００１３】
本発明を実施したパチンコ機の第１実施形態について説明する。図１に本発明を実施したパチンコ機の外観を示す。パチンコ機２には基体となる本体部材３に対して回動自在となるように図示しないヒンジ部を介して上部扉４と下部扉５とからなる前面扉６が組み付けられている。上部扉４の中央には開口４ａが設けられており、この開口４ａは上部扉４の表側に組み付けられるガラス７によって遮蔽される。上部扉４が閉じている状態では遊技の際に遊技領域２１を流下するパチンコ玉や、遊技領域２１に設けられた構造物は、ガラス７を介して視認される。
【００１４】
下部扉５には、受け皿１０、操作ハンドル１１が設けられている。受け皿１０には遊技を開始する際にパチンコ玉が供給される他に、遊技領域２１を流下するパチンコ玉が遊技領域２１に設けられた入賞口のいずれかに入賞したことに応じてパチンコ玉が払い出される。なお、符号１３は払い出し口であり、この払い出し口１３を介してパチンコ玉が受け皿１０に払い出される。
【００１５】
操作ハンドル１１は遊技を行う際に回動操作され、この操作ハンドル１１の回動を受けてパチンコ機２の内部に設けられた発射装置はパチンコ玉の打ち出しの強さを調整する。なお、操作ハンドル１１は図示しない捩りバネによってパチンコ玉を遊技領域２１に発射しない基準位置に付勢されており、基準位置から回動された操作ハンドル１１から手が離れると操作ハンドル１１は基準位置に戻るようになっている。
【００１６】
開口４ａ内には、障害釘等が打ち込まれた遊技盤１４が設けられ、遊技盤１４とガラス７、及びガイドレール２０等によってパチンコ玉が流下する遊技領域が形成されている。遊技盤１４には図示しない障害釘の他、風車、通過チャッカ−２２、始動入賞口２３ａを備えたスタートチャッカ−２３、図柄表示装置２５等が設けられている。図柄表示装置２５は水平方向に並んだ３つのリールを有しており、これらのリールによって始動入賞口２３ａにパチンコ玉が入賞したことに応じて行われる電子抽選の結果が遊技者に告知される。なお、パチンコ玉は上記障害釘や風車に弾かれるか、図柄表示装置２５等に弾かれて遊技領域２１を流下し、上記入賞口のいずれかに入賞するか、アウト口３０によって回収される。
【００１７】
パチンコ機２には、遊技の興趣を高めるための音声発生装置、パチンコ玉を遊技領域に打ち出す発射装置、遊技領域に打ち出されたパチンコ玉が所定の入賞口に入賞することに応じてパチンコ玉を払い出す払い出し装置、及びこれらを含めたパチンコ機全体の動作を制御する制御装置等が設けられている。制御装置とその他の装置とはコネクタとケーブルとからなるハーネスなどによって互いに接続されており、パチンコ機は音声発生装置から演出効果を高めるための音声を発生するなどの動作を行う。
【００１８】
操作ハンドル１１を初期位置から回動させると、操作ハンドル１１の位置に応じた打ち出しの強さでパチンコ球が一個ずつ遊技領域２１に打ち出され、始動入賞口２３ａ、通常入賞口、ハズレ扱いとなるアウト口３０等のいずれかに入賞する。始動入賞口２３ａにパチンコ球が入ったときには、パチンコ機２を遊技者にとって有利な遊技状態に移行するか否かを決める電子抽選が行われ、この電子抽選の結果は図柄表示装置２５によって遊技者に告知される。電子抽選が行われると、図柄表示装置２５において図柄の変動表示が開始され、例えば、所定の図柄、例えば「７−７−７」が表示されると当たりとなり、所定の図柄が揃わなければハズレとなる。
【００１９】
図柄表示装置２５には横方向に３つ表示窓３１ａが形成されており、それぞれの表示窓３１ａからは図柄が表示される。始動入賞口２３ａにパチンコ球が入賞して電子抽選が行われた際には、図柄表示装置２５が作動して各行ごとに図柄が縦方向に流れるように表示される変動表示状態となる。図柄の変動表示後に図柄が停止表示されて所定の図柄が表示されると大当たりとなり、パチンコ機２は遊技者にとって有利な大当たりモードに移行する。また、特定の図柄にて構成される組み合わせが揃った場合、例えば、図柄を数字で構成したときに、奇数が揃った場合などには、大当たりに引き続き確立変動モードに所定の時間だけ移行する。
【００２０】
図２に示すように、図柄表示装置２５では、装飾が施された化粧枠３１の後方に第１リール２７、第２リール２８、第３リール２９が位置する。化粧枠３１には３つの表示窓３１ａが設けられ、表示窓３１ａの上には保留球表示部３１ｂが設けられ、表示窓３１ａの下にはパチンコ玉を一時的に滞在させる第１ステージ３１ｃが形成されている。パチンコ機２は、図柄表示装置２５で図柄の変動表示が行われている間にパチンコ玉が始動入賞口２３ａに入賞した場合には、所定個数（例えば４個）の入賞を限度に保留球として記憶し、保留球表示部３１ｂは保留球の個数をランプを点灯させることで表示する。図柄が停止表示された時点で保留球表示部３１ｂに保留球のランプが点灯している場合には、保留球表示部のランプが１つ消灯されるとともに再び図柄表示装置２５が作動し、変動表示が行われた後に図柄が停止表示されて電子抽選の結果が告知される。
【００２１】
化粧枠３１にはパチンコ玉を第１ステージ３１ｃに導くための開口３１ｄが設けられており、開口３１ｄに進入したパチンコ玉は第１ステージ３１ｃ上を転がり、第１ステージ３１ｃに設けられた落とし孔３１ｅから第２ステージ３１ｆに落下する。第２ステージ３１ｆは前側に低く傾いており、これによって始動入賞口２３ａにパチンコ玉が入賞しやすくなっている。始動入賞口２３ａにパチンコ玉が入賞した場合にはこれを契機として遊技者に有利な遊技状態に移行するか否かを決める電子抽選が行われる。
【００２２】
水平方向に並んだ３つの表示窓３１ａの奥には第１リール２７、第２リール２８、第３リール２９が配置されている。後で詳しく説明するが、第１、第２、第３リール２７、２８、２９はそれぞれリール筐体に組み込まれてリールユニットを形成しており、それぞれのリール筐体は第１固定部材３７、第２固定部材３８を介して化粧枠３１に組み付けられる。第１〜第３リール２７〜２９の外周には図柄が配列されており、第１〜第３リール２７〜２９までが回転することで図柄が縦方向に流れる変動表示が行われる。第１〜第３リール２７〜２９が停止した時点では、それぞれのリールの前方に形成された各表示窓３１ａから１個の図柄が外部に表示される。
【００２３】
図３に３つのリールユニットを第１、第２固定部材３７、３８に組み付ける際の分解斜視図を示す。第１リール２７、第２リール２８、第３リール２９はそれぞれ第１、第２、第３リール筐体３３、３４、３５に収容され、各リール筐体はリールの外周と対面する胴部３３ａ、３４ｂ、３５ａとリールの側縁と対向する側面部３３ｂ，３４ｂ，３５ｂとからなる。各リール筐体の胴部３３ａ，３４ａ，３５ａには、リールの前側に位置するとともにリールの外周に配列された図柄を露呈するための開口３３ｃ、３４ｃ、３５ｃが形成され、各リール筐体の胴部の上部及び下部には胴部から突出した板状の取り付け部が形成されている。各リール筐体に形成された上部の取り付け部３３ｄ、３４ｄ、３５ｄ、及び下部の取り付け部３３ｅ、３４ｅ、３５ｅにはネジの挿通孔が２つずつ形成されている。第１固定部材３７、及び第２固定部材３８にはそれぞれ上部の取り付け部に形成された挿通孔に合わせてネジを螺嵌するためのネジ穴が形成されている。上部の取り付け部３３ｄ、３４ｄ、３５ｄに形成された挿通孔に挿通されたネジが第１固定部材３７にネジ止めされ、下部の取り付け部３３ｅ、３４ｅ、３５ｅに形成された挿通孔に挿通されたネジが第２固定部材３８にネジ止めされて、第１、第２、第３リール筐体３３、３４、３５は第１固定部材３７、及び第２固定部材３８に取り付けられる。
【００２４】
図４（ａ）と（ｂ）に第１、第２固定部材３７、３８を水平方向に切断した断面図を示す。第１固定部材３７には各リール筐体の上部に形成された取り付け部３３ｄ、３４ｄ、３５ｄに対応して、第１取り付け面３７ａ、第２取り付け面３７ｂ、第３取り付け面３７ｃが形成されている。第１、及び第３取り付け面３７ａ，３７ｃは第２取り付け面３７ｂに対して、外側に傾いている。第２固定部材３８には各リールの下部に形成された取り付け部３３ｅ、３４ｅ、３５ｅに対応する第１取り付け面３８ａ、第２取り付け面３８ｂ、第３取り付け面３８ｃが形成されており、第１及び第３取り付け面３８ａ，３８ｃは第２取り付け面３８ｂに対して外側に傾斜している。
【００２５】
図５の（ａ）、（ｂ）にそれぞれ第１、第２リール筐体３３、３４の斜視図を示し、図５（ｃ）に第３リール筐体３５の分解斜視図を示す。第１、第２、第３リール筐体３３、３４、３５の側面部３３ｂ、３４ｂ、３５ｂにはコネクタを通すための挿通孔３３ｆ、３４ｆ、３５ｆが設けられている。第３リール筐体３５の分解斜視図を用いて以下を説明する。なお、第１、第２リール筐体３３、３４についてはそれぞれ挿通孔が設けられた位置が第３リール筐体３５と異なるのみでその他の部分については同様である。図５（ｃ）に示すように、第３リール２９はモータ３９に組み付けられており、モータ３９はモータホルダ４０によって第３リール筐体３５に固定されている。挿通孔３５ｆにはモータの駆動を制御する駆動回路とモータ３９とを接続するためのハーネスが通され、これにより第３リール２９が組み付けられたたモータ３９は駆動回路と接続して駆動回路によって駆動が制御される。第１リール筐体３３と第２リール筐体３４については同じ位置に挿通孔３３ｆ、３４ｆが形成されているが、第３リール筐体３５の挿通孔３５ｆの位置は、第１、第２リール筐体３３、３４の挿通孔３３ｆ、３４ｆの位置とは異り、第２リール筐体３４の側面部３４ｂと対面する第３リール筐体３５の側面部３５ｂに設けられており、挿通孔３４ｆに挿通されたハーネスと挿通孔３５ｆに挿通されたハーネスとが重ならないようになっている。
【００２６】
図６に水平方向に並ぶ第１、第２、第３リール筐体３３、３４、３５を平面視した平面図を示す。それぞれのリール筐体３３、３４、３５が第１、第２固定部材３７，３８に取り付けられると、端に位置する第１リール筐体３３、及び第３リール筐体３５とはそれぞれ第２リール筐体３４に対して前端の対向間隔Ｘ１よりも後端の対向間隔Ｙ１が大きく開き、第１、第３リール３３、３５は、第２リール３４よりも前に突出するとともに、各リールの前端から後端に向う方向はそれぞれのリールの前側に位置する所定のポイントＰ１からの放射方向Ｒ１と略平行になっている。これにより、第１リール２２の先端部２２ａと第３リール２４から先端部２４ａに至るラインＬ１と、第１、第２、第３リール２２、２３、２４のそれぞれの前端２２ｂ、２３ｂ、２４ｂに沿った弧状のラインＬ２とによって囲まれたスペースＳ１を形成することができる。ここで、所定ポイントＰ１は第１〜第３リール２２〜２４の前側に位置する任意のポイントであり、スペースＳ１をどれだけ確保すべきかによって適宜に定められるものである。
【００２７】
上記構成の作用について説明する。遊技者が操作ハンドル１１を操作することで打ち出されたパチンコ玉が、例えば、始動入賞口２３ａに入賞すると、電子抽選が行われる。電子抽選の結果は、各表示窓３１ａに図柄が停止表示されることで遊技者に告知される。表示窓３１ａの奥に設けられた３つのリールは、中央に位置する第２リール２８に対して第１、第３リール２７、２９が前端よりも後端の対向間隔が開いた状態で固定されている。このため第１、第３リール３３、３５は、第２リール３４よりも前に突出するとともに、各リールの前端から後端に向う方向はそれぞれのリールの前側に位置する所定のポイントＰ１からの放射方向Ｒ１と略平行になっている。これにより、第１リール２２の先端部２２ａと第３リール２４から先端部２４ａに至るラインＬ１と、第１、第２、第３リール２２、２３、２４のそれぞれの前端２２ｂ、２３ｂ、２４ｂに沿った弧状のラインＬ２とによって囲まれたスペースＳ１を形成することができる。このスペースＳ１に第１ステージ３１ｃを設けることで、奥行の増大を最小限にとどめながら第１ステージ３１ｃを設けたパチンコ機２を提供することができる。
【００２８】
なお、上記の実施形態ではリールの個数は３つであったが、本発明はこれに限らず、リール及び、リールを収納するリール筐体の個数はこれより多くてもよい。例えば図７に示すようにリールの個数を５つにしてもよい。第１〜第５リール５０〜５４は、それぞれ第１〜第５リール筐体５６〜６０に収められている。水平方向に並べられた第１〜第５リール筐体５６〜６０は前端の対向間隔Ｘ２よりも後端の対向間隔Ｙ２を大きく隔てて固定部材６２に取り付けられており、このため端に位置するリールに向かうに従ってリールは前側に突出するとともに、それぞれのリールの前端から後端に向う方向がリールの前側に位置したポイントＰ２からの放射方向Ｒ２と略平行となっている。これによって、第１リール５０の先端部５０ａから第５リール５４の先端部５４ａに至るラインＬ３と、第１〜第５リール５０〜５４の前端５０ｂ、５１ｂ、５２ｂ、５３ｂ、５４ｂに沿った略弧状のラインＬ４とによって囲まれるスペースＳ２を形成することができ、このスペースＳ２にパチンコ玉を一時的に滞在させるステージを設けることで、奥行きの増大を最小にとどめながらステージを設けたパチンコ機を提供することができる。
【００２９】
次に、本発明を実施した第２実施形態について説明する。図８に示すように第１リール（端部リール）７０、第２リール（中央リール）７１、第３リール（端部リール）７２は側縁が対向するように水平方向に並べられており、それぞれの端に位置する第１リール７０及び第３リール７２はテーパー状に形成され、第２リール７１は円筒状に形成されている。第１〜第３リール７０〜７２は支持枠７４に組み合わせられる。第１〜第３リール７０〜７２が組み合わせられた支持枠７４には化粧枠３１が取り付けられ、第１〜第３リール７０〜７２の外周に配列された図柄は、化粧枠３１に形成された表示窓３１ａから外部に表示される。
【００３０】
図９に第１、第２、第３リール７０、７１、７２の斜視図を示す。第１リール７０の小径側の半径、および第３リール７２の小径側の半径とは、第２リール７１の半径とほぼ同じ大きさになっている。第１リール７０の側縁のうち、小径側の側縁は第２リール７１の一方の側縁と対向し、第３リール７２の側縁のうち、小径側の側縁は第２リール７１の他方の側縁と対向する。それぞれのリールはリールの内周に固定された保持フレーム７６によって形状が維持され、保持フレーム７６はモータ７７に組み付けられており、モータ７７が駆動することによってそれぞれのリールは回転する。モータ７７は保持枠７４に固定され、その駆動は駆動回路（図示省略）によって制御される。
【００３１】
図１０に示すように、テーパー形状の第１リール７０及び第３リール７２は、円弧状に形成されたシート材料８０と形状を維持するための保持フレーム７６とからなる。シート材料８０を保持フレーム７６に貼り付けるとテーパー状の外周を有するリールが形成される。
【００３２】
図１１に水平方向に並べられた第１、第２、第３リール７０、７１、７２を平面視した平面図を示す。第１、第３リール７０、７２をテーパー形状のリールとし、さらに第１、第３リール７０、７２の小径側の側縁を第２リールの側縁に向けて配置したため、第１リール７０の大径側の側縁の前端７０ａから第３リール７２の大径側の側縁の前端７２ａに至るラインＬ５と、第１、第２、第３リール７０、７１、７２のそれぞれの前端７０ｂ，７１ｂ，７２ｂに沿った略弧状のラインＬ６とによって囲まれるスペースＳ３を形成することができ、このスペースＳ３にパチンコ玉を一時的に滞在させるステージを設けたことにより、奥行の増大を最小限にとどめながらステージを設けたパチンコ機を提供することができる。
【００３３】
なお、上記の第２実施形態ではリールの個数は３つであったが、リールの個数は４つであってもよい。例えば図１２に示すように、リールユニットには第１〜第４リール８０〜８３が備えられており、第２リール８１と第３リール８２とはともに円筒形状に形成され、第２、第３リール８１、８２は、それぞれが有する２つの側縁のうち、一方の側縁を対向させて配置されている。第２リール８１、第３リール８２の両端にはテーパー形状に形成された第１リール８０と第４リール８３とが位置しており、第１リール８０は小径側の側縁８０ａを第２リールの他方の側縁に対向させ、第４リール８３は小径側の側縁８３ａを第３リール８２の他方の側縁に対向させている。このように、円筒形状の第２、第３リール８１，８２のそれぞれに形成された２つの側縁のうち一方の側縁を互いに対向させて配置されており、第２、第３リール８１、８２の両脇にテーパー形状の第１、第４リール８０、８３を位置させ、かつ第１、第４リール８０、８３が有する小径側の側縁８０ａ，８４ａが第２、第３リール８１、８２の他方の側縁と対向するように配置したことにより、第１リール８０の大径側の側縁の前端から第４リール８３の大径側の側縁の前端に至るラインと、第１〜第４リール８０〜８３の前端に沿った弧状のラインとによって囲まれるスペースが形成され、このスペースにパチンコ玉を一時的に滞在させるステージを設けることで、奥行の増大を最小限にとどめながらステージを設けたパチンコ機を提供することができる。
【００３４】
また、上記の第２実施形態ではリールの個数は３つであったが、リールの個数はこれに限らず５つでもよい。図１３に示すように、例えば、第１〜第５リール９０〜９４までの５つのリールを有し、円筒形状に形成された第３リール９２の両脇にテーパー形状に形成された第２、第４リール９１、９３が位置し、さらに第２、第３、第４リール９１、９２、９３の両脇にテーパー形状に形成された第１、第５リール９０、９４を位置させる。第２、第４リール９１、９３はそれぞれ小径側の側縁を第３リール９２の側縁に対向させ、第１、第５リール９０、９４はそれぞれ小径側の側縁を第２、第４リール９１、９３の大径側の側縁に対向させている。このように、円筒形状の第３リール９２の両脇にテーパー形の第２、第４リール９１、９３を位置させるとともに第２、第４リール９１．９３の小径側の側縁が第３リール９２の側縁と対向するように配置し、これらのリールの両脇にさらにテーパー形状の第１、第５リール９０、９４を位置させるとともに第１、第５リール９０、９４の小径側の側縁がそれぞれ第２、第４リール９１、９３の大径側の側縁と対向するように配置したことにより、それぞれのリールの前端に沿った弧状のラインと、第１リールの大径側の側縁の前端から第５リールの大径側の側縁の前端に至るラインとによって囲まれるスペースが形成され、このスペースにパチンコ玉を一時的に滞在させるステージを設けることで、奥行の増大を最小限にとどめながらリールの前にステージを設けたパチンコ機を提供することができる。
【００３５】
また、上記の第１実施形態及び第２実施形態では、パチンコ玉を一時的に滞在させるステージを設けたパチンコ機を例示したが、リールの配置、あるいは形状を基に形成されたスペースに設けるものはステージに限らない。例えば、水平方向に並んだ複数のリールのうち、この水平方向に並んだ複数のリールを平面視して、一方の端に位置するリールの前側の先端部から他方の端に位置するリールの前側の先端部に至るラインと、各リールの前端に沿った略弧状のラインと、によって囲まれるスペースに、パチンコ玉の動きに意外性を持たせるための可動物等を設けてもよい。このようにリールの前に可動物を設ける場合でも奥行の増加を最小限にとどめたパチンコ機を提供することができる。
【００３６】
また、上記の第１、第２実施形態では本発明をパチンコ機に実施した例を示したが、本発明はこれに限らず、スロットマシンに実施してもよい。例えば、水平方向に並んだ複数のリールのうち、この水平方向に並んだ複数のリールを平面視して、一方の端に位置するリールの前側の先端部から他方の端に位置するリールの前側の先端部に至るラインと、各リールの前端に沿った略弧状のラインと、によって囲まれるスペースに、リーチの際に遊技者に期待感を持たせる演出を行う可動物を設けることもできる。
【図面の簡単な説明】
【００３７】
【図１】本発明を実施したパチンコ機の斜視図である。
【図２】パチンコ機に取り付けられる図柄表示装置の分解斜視図である。
【図３】図柄表示装置から化粧枠を取り外した部分の分解斜視図である。
【図４】第１、第２固定部材を水平方向に切断した断面図である。
【図５】側面にハーネスを差し込む開口が設けられたリール筐体を説明する斜視図である。
【図６】水平方向に並べられたリールをそれぞれ格納したリールユニットを平面視した平面図である。
【図７】水平方向に並べられた５つのリールそれぞれ格納したリールユニットを平面視した平面図である。
【図８】端部に位置するリールがテーパー状に形成された３つのリールを支持した支持枠に化粧枠が組み付けられる図柄表示装置の分解斜視図である。
【図９】支持枠に組み付けられるリールの斜視図である。
【図１０】端部に位置するリールの展開図、及び組み立てを説明した説明図である
【図１１】水平方向に並べられたリールを平面視した平面図である。
【図１２】２つの円筒形のリールの両脇にテーパーリールを配置したリールユニットを説明する斜視図である。
【図１３】１つの円筒形のリールの両脇にそれぞれ２つのテーパーリールを配置したリールユニットを説明する斜視図である。
【符号の説明】
【００３８】
２    パチンコ機（遊技機）
２５    図柄表示装置
３１    化粧枠
３１ａ  表示窓
２７、２８、２９    第１、第２、第３リール
３３、３４、３５    第１、第２、第３リール筐体
３７，３８    第１、第２固定部材
７０、７２    第１、第３リール（端部リール）
７１    第２リール（中央リール）
７４    支持枠
７６    保持部材
７７    モータ
【図１】
2005224374.tif 000003
【図２】
2005224374.tif 000004
【図３】
2005224374.tif 000005
【図４】
2005224374.tif 000006
【図５】
2005224374.tif 000007
【図６】
2005224374.tif 000008
【図７】
2005224374.tif 000009
【図８】
2005224374.tif 000010
【図９】
2005224374.tif 000011
【図１０】
2005224374.tif 000012
【図１１】
2005224374.tif 000013
【図１２】
2005224374.tif 000014
【図１３】
2005224374.tif 000015